(57)【要約】  オフショア・オンライン取引を処理するための方法及びシステムが、買い手及びオフショアの売り手の代理として外貨交換を行うために仲介プラットフォームを用いる。この方法は買い手が、現地通貨を用いるオフショア小売商ウエブサイトウェブサイトの商品を、仲介プラットフォームを介して購入することを可能にする。前記買い手はオフショア小売商ウェブサイトに発注し、このサイトは注文要求を前記仲介プラットフォームに送信する。この仲介プラットフォームは購入金額を現地通貨で計算し、及び金融プラットフォームを介してユーザーにより提供される現地通貨金額を等価な外貨金額に交換し、並びに商品の出荷を可能にするために、支払い成功を示す取引メッセージを前記オフショア小売商ウェブサイトに通知する。前記仲介プラットフォームは定期的に決算及び利益分配操作を前記オフショア小売商ウェブサイトとともに行う。
2012501013.tif 000002
【特許請求の範囲】
【請求項１】
オフショア・オンライン取引を処理する方法であって：
仲介プラットフォームにおいて、オフショア小売商ウェブサイトにおいて販売される商品の購入を欲するユーザーの情報、前記商品の情報、支払額、及び支払いに要求される通貨の種類を含むオフショア小売商ウェブサイトからの注文要求を受け取ること；要求される通貨額に等価な現地通貨額を外貨に交換するために仲介プラットフォーム及び金融プラットフォームの間で外貨交換を行うこと；支払額を要求される通貨でオフショア小売商ウェブサイトの口座に送金すること；及びオフショア小売商ウェブサイトがユーザーに商品を出荷することを可能にするために、支払い成功を示すメッセージをオフショア小売商ウェブサイトに送信することを含む方法。
【請求項２】
前記オフショア小売商ウェブサイトからの注文要求が、前記仲介プラットフォームとの業務関係を有するオフショア仲介プラットフォームを介して受け取られる、請求項１に記載の方法。
【請求項３】
前記仲介プラットフォームが現地通貨での資金の預金を有する前記ユーザーの金融口座にアクセスを有する、請求項１に記載の方法。
【請求項４】
前記ユーザーの金融口座が前記仲介プラットフォーム内に開設されている、請求項３に記載の方法。
【請求項５】
前記オフショア小売商ウェブサイトの口座が前記仲介プラットフォーム内に開設されている、請求項１に記載の方法。
【請求項６】
前記仲介プラットフォームと金融プラットフォームとの間の外貨交換が一括処理により行われる、請求項１に記載の方法。
【請求項７】
前記オフショア小売商ウェブサイトの口座への要求される通過での支払額の送金が、前記仲介プラットフォーム及び前記オフショア小売商ウェブサイトとの間の普通口座決済で行われる、請求項１に記載の方法。
【請求項８】
前記仲介プラットフォームにおいて外国為替相場情報を外貨交換サービスから受け取ること；及びこの受け取った外国為替相場情報に基づいて等価な現地通貨額を計算することを更に含む、請求項１に記載の方法。
【請求項９】
前記外貨交換サービスが前記金融プラットフォームの一部である、請求項８に記載の方法。
【請求項１０】
前記オフショア小売商ウェブサイトが、決算及び利益分配の目的で前記仲介プラットフォームとの口座決算を定期的に行う、請求項１に記載の方法。
【請求項１１】
前記仲介プラットフォームにおいて前記ユーザーの身元確認を行うことを更に含む、請求項１に記載の方法。
【請求項１２】
前記ユーザーが再考するために、外貨交換の情報を前記ユーザーに送信することを更に含む、請求項１に記載の方法。
【請求項１３】
外貨交換を仲介プラットフォーム及び前記金融プラットフォームの間で行う場合に、前記ユーザーに課せられた外国為替の最高限度に違反しないことを確認することを更に含む、請求項１に記載の方法。
【請求項１４】
前記ユーザー又は前記オフショア小売商ウェブサイトからの払い戻し要求を受け取ること；前記金融プラットフォームを介して前記外貨での払い戻し額を前記現地通貨に交換すること；及び前記現地通貨での払い戻し額を前記ユーザーの口座に預け入れることを更に含む、請求項１に記載の方法。
【請求項１５】
オフショア・オンラインを処理するための取引仲介プラットフォームであって、前記仲介プラットフォームは以下を実行するためにプログラムされたコンピューターサーバー・センターを有する方法：
オフショア小売商ウェブサイトにおいて販売される商品の購入を欲するユーザーの情報、前記商品の情報、支払額、及び支払いに要求される通貨の種類を含むオフショア小売商ウェブサイトからの注文要求を受け取ること；
要求される通貨額に等価な現地通貨額を外貨に交換するために仲介プラットフォーム及び金融プラットフォームの間で外貨交換を行うこと；
支払額を要求される通貨でオフショア小売商ウェブサイトの口座に送金すること；及び
オフショア小売商ウェブサイトがユーザーに商品を出荷することを可能にするために、支払い成功を示すメッセージをオフショア小売商ウェブサイトに送信すること。
【請求項１６】
前記仲介取引プラットフォームが、インターネットを介して前記ユーザー、前記オフショア小売商ウェブサイト、及び前記金融プラットフォームに接続する請求項１５に記載の方法。
【請求項１７】
前記ユーザーの金融口座及び前記オフショア小売商ウェブサイトの金融口座を保存するデータベースを含む、請求項１５に記載の方法。
【発明の詳細な説明】
【技術分野】
【０００１】
本開示はオンライン取引の分野に関し、及びより具体的にはオフショア・オンライン取を処理するための方法及びシステムに関する。
【背景技術】
【０００２】
インターネットの発展及びデジタル署名などの暗号化技術の成熟に伴い、電子商取引は全世界的に驚異的な速度で拡大しつつある。多くの成功している会社が電子商取引を企業活動の主要な方法として成長している。新しいビジネス方法は、電子商取引が既存のビジネス方式を完全に革命化しつつある状況において発展しつつある。
【０００３】
図１は既存のオンライン取引システムの一般的例の模式的構造略図を示している。このシステムは小売商１１、仲介プラットフォーム１２、銀行カード・サブシステム１３、及びユーザー１４を含む。ユーザー１４は小売商１１の商品を購入し、及び銀行カード・サブシステム１３を用いてオンライン支払いを行う。小売商１１はユーザー１４に商品を出荷する。小売商１１及び銀行カード・サブシステム１３は定期的に口座決済及び口座送金を行う。銀行カード・サブシステム１３により達成される機能は仲介プラットフォーム１２に統合され得る。
【０００４】
「ＡｌｉＰａｙ」は仲介プラットフォーム１２の１例である。ユーザー１４は「ＡｌｉＰａｙ」に口座を開くことができ、及び一定の資金額を口座に直接預金又は再チャージ方法を介して預金できる。ユーザー１４が小売商１１の商品を購入するとき、口座からの引き落としは「ＡｌｉＰａｙ」を介して処理される。この方法では、小売商１１が口座決済及び口座送金を「ＡｌｉＰａｙ」により定期的に行うことのみが要求される。
【０００５】
仲介取引プラットフォーム１２はサーバー・センター１５及びデータベース１６を有し得る。このサーバー・センター１５は、注文要求を処理するために用いられる一方、データベース１６は各取引をリアルタイムで記録するために用いられる。小売商１１及び銀行カード・サブシステム１３はデータベース２２を定期的に訪問することにより営業注文を確認し得る。
【０００６】
上記の取引様式では、小売商１１及びユーザー１４（一般的には買い手）は、通常は同一国内に居住するか、又は同一のクレジットカードシステムを用いる。説明の目的のために、ユーザー１４が中国に居住し、及びオンラインのオフショア小売商の商品を購入したい場合には、既存の取引様式は通常以下を含む：
ユーザー１４は最初にオンラインのオフショア小売商１１のウェブサイトにログインし及び注文要求を提出する。この注文要求は、購入される商品名、価格、支払い方法、郵送先住所を含むユーザー情報などの取引情報を含み得る。ユーザー１４は次に人民元（ＲＭＢ）を、外国為替サービスでオンライン小売商１１が受け付ける通貨（例えば米ドル）に変換し、及び適正な額の外貨を小売商１１が指定する口座に送金又は郵送する。郵送された金額を受け取ると、前記オンライン小売商１１は商品を出荷する。ユーザー１４が既に要求される外貨の十分な金額を有する場合は、ユーザー１４は、外国為替サービスを利用することなくその金額を直接送り得る。
【０００７】
代替的に、資金を直接オンライン小売商１１の口座に送る代わりに、取引の安全性を増すためにユーザー１４はその資金を「ＡｌｉＰａｙ」などのオフショア仲介プラットフォームに送金できる。
【発明の概要】
【発明が解決しようとする課題】
【０００８】
以上の取引様式はいくつかの欠点を有する。第１に、買い手はオフショア商品を購入するために、十分な額の外貨を有することが要求される。
【０００９】
このことは買い手、特に外貨を得て国際資金送金することが困難であり、及びしばしば制限されている国に居住するユーザーにとりに不都合を引き起こし得る。結果として、既存の取引様式ではオフショア商品の簡単なオンライン購入ができなくなる。理想的には、買い手はオンラインで何かを購入するために、特別な外国為替サービスを訪れる必要がないようにしなければならない。
【００１０】
更に、買い手は外貨（例えば米ドル）に交換するために、等価な現地通貨（例えば人民元）の額を計算する必要がある。外国為替のレートは、異なる外国為替機関により報道されるリアルタイム相場システムによって異なり得るので、買い手は各オフショア商品の購入のために、より有利な交換率を得るために、さまざまな外国為替機関の外貨交換レートを比較しなくてはならない。このことは買い手に更なる不便をもたらし得る。多くの例で、買い手は商品の購入を断念する可能性がある。
【００１１】
他の存在する問題点としては、小売商の信用性を直接評価できないこと、商品の性質を評価できないこと、返品及び返金が困難なこと、並びに購入及び出荷のプロセスが長いことである。
【課題を解決するための手段】
【００１２】
買い手及びオフショアの売り手の代理として、外貨交換を行うための仲介プラットフォームを用いるオフショア・オンライン取引のための方法及びシステムが開示される。この方法は買い手が、現地通貨を用いるオフショア小売商ウエブサイトウェブサイトの商品を、仲介プラットフォームを介して購入することを可能にする。前記買い手はオフショア小売商ウェブサイトに発注し、このサイトは注文要求を前記仲介プラットフォームに送信する。この仲介プラットフォームは購入金額を現地通貨で計算し、及び金融プラットフォームを介してユーザーにより提供される現地通貨金額を等価な外貨金額に交換し、並びに商品の出荷を可能にするために、支払い成功を示す取引メッセージを前記オフショア小売商ウェブサイトに通知する。前記仲介プラットフォームは定期的に決算及び利益分配操作を前記オフショア小売商ウェブサイトとともに行う。
【００１３】
仲介プラットフォームは、注文要求を直接オフショア小売商ウェブサイトから受け取るか、又はそのオフショア仲介プラットフォームがビジネス関係を持つ仲介プラットフォームから受け取るかのいずれかにより受け取る。
【００１４】
１実施形態では、仲介プラットフォームは、現地通貨での預金を有するユーザーの金融口座へのアクセスを有する。このユーザーの金融口座は、仲介プラットフォーム内に置かれ得る。オフショア小売商ウェブサイトの口座も、仲介プラットフォーム内に置かれ得る。ユーザー及び小売商は、これらの口座を仲介プラットフォームに登録した際に開設し得る。
【００１５】
仲介プラットフォーム及び金融プラットフォーム間の外貨交換は、それぞれの注文ごとに別々に行われるか、又は複数の注文に対して予定された定期的な一括処理のいずれかにより行われ得る。オフショア小売商ウェブサイトの口座への要求される通貨での支払額の送金は、それぞれの注文ごとに行われるか、仲介プラットフォーム及びオフショア小売商ウェブサイト間の定期的口座決済の一部としてか行われるかの、いずれかにより行い得る。仲介プラットフォームは外国為替相場情報を外貨交換サービスから受け取り、受け取った外国為替相場情報に基づき及び等価な額の現地通貨額を計算する。外貨交換サービスは別のサービスであるか、又は金融プラットフォームの一部であるかの、いずれかであり得る。
【００１６】
オフショア・オンライン取引を処理するための仲介プラットフォームも開示される。この仲介プラットフォームは、本明細書において開示されるオフショア・オンライン取引を処理するための行動を実施するようにプログラムされたコンピューターサーバー・センターを含む。この仲介プラットフォームはインターネットを介してユーザー、オフショア小売商ウェブサイト、及び金融プラットフォームに接続される。この仲介プラットフォームは、ユーザーの金融口座及びオフショア小売商ウェブサイトの金融口座を保存するデータベースも有する。
【００１７】
既存技術に比較して、本開示の方法及びシステムは、ユーザーが外貨交換サービスを訪問することなくオフショア購入注文を達成することを可能にする。本開示の仲介プラットフォームは更にオフショア商業取引の安全性を改善する。
【００１８】
以下の「発明の詳細な記載」において更に述べられる概念の選択を単純化された形態で紹介するために、この要旨が提供される。この要旨は請求される対象の主要な特徴及び本質的な特徴を特定することを意図しておらず、又は請求される対象の範囲を決定する一助として用いられることも意図されていない。
【００１９】
発明の詳細な記載は、付随する図面を参照して詳細が記述される。これらの図面において参照番号のもっとも左の桁はその参照番号が最初に現れる図面の番号を特定している。異なる図面における同一の参照番号の使用は同様又は同一の項目を示す。
【図面の簡単な説明】
【００２０】
【図１】既存の一般的なオンライン取引システムの模式的構造の略図を示す。
【図２】本開示に従うオンライン取引処理のための第１の例示的環境の模式的構造の略図を示す。
【図３】本開示に従うオンライン取引処理のための第１の例示的方法のフローチャートを示す。
【図４】本開示に従うオンライン取引処理のための第２の例示的環境の模式的構造の略図を示す。
【図５】本開示に従うオンライン取引処理のための第２の例示的方法のフローチャートを示す。
【発明を実施するための形態】
【００２１】
本開示の例示的実施形態が付随する図面を用いて詳細に記載される。  
本開示では、「モジュール」又は「ユニット」とは一般的に特定の業務又は機能を実施するように機能的に設計されるものを指す。モジュール又はユニットは、前記特定の業務若しくは機能に付随する目的を達成させるための、ハードウエア、ソフトウエア、計画若しくはスキーム、若しくはそれらの組み合わせの１部分であることができる。加えて、別々のユニットの描写は、必ずしも物理的に分離された機器が使用されることを示唆しない。その代わり、前記描写は構造的ではなく、単に機能的なものであり得て、いくつかのユニットの機能が単一の組み合わされた機器又は構成要素により遂行され得る。コンピューター使用のシステム中で用いられるとき、プロセッサ、記憶装置、メモリーなどの通常のコンピューター構成要素はさまざまな各機能を実施するために１つ以上のユニット又は機器として機能するためにプログラムされ得る。
【００２２】
図２は、本開示に従うオンライン取引処理のための第１の例示的環境の模式的構造の略図を示す。環境２０は、ユーザー２４（買い手）、仲介プラットフォーム２２、オフショア小売商ウェブサイト２１、及び金融プラットフォーム２８を含む。ユーザー２４及びオフショア小売商ウェブサイト２１は単に代表例であることに注意されたい。それらは環境２０に含まれる複数のユーザー及びウェブサイトであり得る。更に、金融プラットフォーム２８のような複数の金融プラットフォームが環境２０に含まれ得る。仲介プラットフォーム２２は少なくとも１つのサーバー・センター２５及びさまざまなデータを保存するデータベース２６を含む。仲介プラットフォーム２２は、ユーザー２４が現地通貨を使用してオフショア小売商ウェブサイト２１のオフショア商品を購入することを可能にする。仲介プラットフォーム２２は金融機関か、又は金融機関と契約する第三者により保有され得る。かかる仲介プラットフォーム２２の１例は、「ＡｌｉＰａｙ」である。仲介プラットフォーム２２はオフショア小売商ウェブサイト２１及び金融プラットフォーム２８に接続し、及びオフショア小売商ウェブサイト２１から注文要求を受け取るように適合されている。要求を受け取ると、仲介プラットフォーム２２は金融プラットフォーム２８から得た外国為替相場情報に基づき現在の取引に関する外貨額に等価な現地通貨額を計算する。仲介プラットフォーム２２は次に計算された現地通貨額を使って必要な外貨を交換し、及びオフショア小売商ウェブサイト２１に支払い成功を示す取引メッセージを送信する。
【００２３】
オフショア小売商ウェブサイト２１はユーザー２４により購入される役務又は商品を提供する任意のウェブサイトであってよい。商品は玩具若しくは衣類などの有形の物品であるか、又はオンラインゲームなどの無形のものであってよい。ユーザー２４からの商品注文を受け取ると、オフショア小売商ウェブサイト２１は仲介プラットフォーム２２に注文要求を送信する。この注文要求は、少なくとも買い手情報、商品情報、外貨での購入金額及び外貨の種類を含み得る。支払い成功を示す取引メッセージを受け取ると、オフショア小売商ウェブサイト２１は商品のユーザー２４への出荷を予定する。
【００２４】
金融プラットフォーム２８は外貨の為替相場に関する情報を提供する任意のシステムであり得る。金融プラットフォーム２８は更に外貨の売買を行う。金融プラットフォーム２８の１例は、金融機関の外国為替取引システムである。金融プラットフォーム２８は外貨の為替相場情報を仲介プラットフォーム２２に提供し、及び仲介プラットフォーム２２からの要求を受け取ると要求された外国為替交換を行う。
【００２５】
図２は説明の目的のみで、その方法を概念レベルで示していることを理解されたい。この方法及び意図された機能を実行するためにさまざまな方法を用い得る。１実施形態では、金融プラットフォーム２８は仲介プラットフォーム２２の一部である。仲介プラットフォーム２２はかかる情報が必要なときにはいつでも金融プラットフォーム２８に現在の外貨為替相場を要求する。他の実施形態では、金融プラットフォーム２８は分離されているが外国為替相場情報を提供するため、及び仲介プラットフォーム２２の要求に応じて外貨の売買を行うために仲介プラットフォーム２２に接続される。金融プラットフォーム２８は仲介プラットフォーム２２の所有者と同じ所有者により所有されるか、又は別のパーティー（例えば銀行などの金融機関）により所有され得る。１実施形態では、金融プラットフォーム２８は別のシステムに属し、外国為替相場情報を仲介プラットフォーム２２に提供するために、仲介プラットフォーム２２に接続される。更に別の実施形態では、オフショア小売商ウェブサイト２１を含む複数のウェブサイトに集中型の外貨交換サービスを提供するために、仲介プラットフォーム２２及び金融プラットフォーム２８は共に独立システムを構成する。
【００２６】
サーバー・センター２５はさまざまな機能を達成するためにさまざまな構成要素及びユニットを含み得る。図２に示されるように、サーバー・センター２５は、インターネット・インターフェース２５１、金融プラットフォーム双方向インターフェース２５２、ユーザー処理装置２５３、ウェブサイト処理装置２５４、取引処理装置２５５、ａｎ身元確認装置２５６、外国為替処理装置２５７、外国為替購入装置２５８、及び口座処理装置２５９を含む。
【００２７】
前記インターネット・インターフェース２５１インターネット・ユーザー２４及びオフショア小売商ウェブサイト２１との双方向通信を確立するために適合されている。前記金融プラットフォーム双方向インターフェース１５２は、各金融プラットフォーム２８とのデータ通信を確立するために適合されている。前記ユーザー処理装置２５３はユーザー２４の登録を受け取り、ユーザー情報を修正し、ユーザー２４の各取引（注文）情報を保存し、並びにユーザー２４の個人情報及び取引情報をデータベース２６に保存するように適合されている。前記ウェブサイト処理装置２５４は、各オフショア小売商ウェブサイト２１の契約情報、取引情報及び請求書情報などの小売商情報を受け取り、並びに保存するように適合されている。前記取引処理装置２５５は、各オフショア注文要求を処理するように適合されている。前記身元確認装置２５６は、各オフショア取引で、ユーザー２４の身元を確認するように適合されている。前記外国為替処理装置２５７は金融プラットフォーム２８の外国為替見積もりシステムから定期的に最新の外国為替相場を取得し、及び最新の為替相場を保存するように適合されている。前記外国為替処理装置２５７は、更に前記外国為替相場情報に従い、各オフショア取引に関する外貨額を交換するために必要な等価な現地通貨を計算する。前記外国為替購入装置２５８は現地通貨額を外貨額に交換するために金融プラットフォーム２８の外国為替提供システムに接続される。前記口座処理装置２５９は、各オフショア小売商ウェブサイト２１に対する請求及び口座決算操作（例えば口座精算、調整など）を行うように適合されている。
【００２８】
インターネット・インターフェース２５１及び金融プラットフォーム双方向インターフェース２５２は、通信インターフェースであってよい。ユーザー処理装置２５３、ウェブサイト処理装置２５４、取引処理装置２５５、身元確認装置２５６、外国為替処理装置２５７、外国為替購入装置２５８、及び口座処理装置２５９は論理装置であり、及びプロセッサにより実行されてよい。
【００２９】
ユーザー２４の身元を確認するために、仲介プラットフォーム２２は身元証明システムに接続し得る。身元証明の１例は、中国公安部の身元証明カードシステムであり、ユーザーの身元をカード保有者により入力された番号を用いて特定する。身元証明カード番号及びユーザー（ユーザー２４）が入力した番号が、身元証明カードシステムに保存される（又はアクセスされる）情報と比較される。身元証明カード番号及びユーザー名が身元証明カードシステムに保存される情報と一致すると、ユーザーの身元が証明される。そうでない場合、身元証明は失敗する。デジタル証明が、身元証明の安全性を改善するために更に用いられ得る。
【００３０】
要求される外貨額に交換する等価な現地通貨額を計算し外国為替購入を処理するために、仲介プラットフォーム２２は金融プラットフォーム２８の外国為替販売システム及び外国為替見積もりシステムに接続される。金融プラットフォーム２８は、更にユーザー２４のようなユーザーの外国為替活動を統治又は管理し及び外国為替購入を監視する組織又は機関にも接続される。かかる組織又は機関の１例は、中国の外国為替管理局（Ｓｔａｔｅ  Ａｄｍｉｎｉｓｔｒａｔｉｏｎ  ｏｆ  Ｆｏｒｅｉｇｎ  Ｅｘｃｈａｎｇｅ）である。仲介プラットフォーム２２がオフショア小売商ウェブサイト２１により指定されたオフショア金融プラットフォームに送金することを可能にするために、外貨金融プラットフォーム２８オフショア金融プラットフォームにも接続する。仲介プラットフォーム２２は、金融プラットフォーム２８のような複数の金融プラットフォームに接続できることに注意されたい。
【００３１】
図３は本開示に従うオンライン取引を処理するための第１の例示的な方法のフローチャートを示す。この方法は、本明細書において開示されるオンライン取引処理システムを用いる。この方法はオフショア小売商ウェブサイトの商品をユーザーが現地通貨を用いて購入することを可能にする。これは本明細書において開示される仲介プラットフォームを用いて達成される。この方法は以下のように記載される。この説明において、プロセスが記載される順序は制限として解釈されることを意図しておらず、及び任意の記載されるプロセスのブロック番号は、この方法を実行するために任意の順序で組み合わされ得るか、又は他の方法と組み合わされ得る。
【００３２】
Ｓ３１０において、ユーザー３４は契約しているオフショア小売商ウェブサイト３１にログインし、及び興味ある商品を示す購入注文を提示する。ユーザーは仲介プラットフォーム３２に登録したユーザーであり、及び通常は匿名ではない。仲介プラットフォーム３２は、ログインの間にユーザー３４の身元を確認できる。例えば、仲介プラットフォーム３２は、ユーザー３４により入力された身元証明カード番号及び保有者の姓名を確認することができる。入力された身元証明カード番号及び姓名が身元証明カードの機関に保有される情報と一致する場合は、確認は成功する。さもなければこれ以降の操作は拒絶され得る。
【００３３】
仲介プラットフォーム３２は、ユーザー３４に対して更に他の種類の身元確認も行い得る。仲介プラットフォーム３２は、ユーザー３４が仲介プラットフォーム３２に登録する際にユーザー３４に身元証明カード情報を入力することを要求できる。仲介プラットフォーム３２は最初に受け取った身元証明カード情報を身元証明カード当局に確認する。もし身元確認が成功すると、ユーザー３４の登録が許可される。さもなければ登録は拒否される。続くユーザーのログインには、ユーザー３４は更なる身元確認を要さない。代替的に、身元証明カード偽造の可能性のために、ユーザー３４の身元証明カードと一致する、使用される支払銀行口座の所有者名が要求され得る。名前が一致しない場合にはオフショア取引のための登録は拒否される。しかし、ユーザー３４が銀行口座以外の手段を使って支払いを行う場合には、この種類の身元確認は特定の限界を有する。代替的にオフショア取引を行うユーザーの身元はログイン時、又は購入プロセスの間に確認されることができる。上記の例は単に説明の目的のものであり、本開示への制限と解釈されるべきではない。
【００３４】
ユーザー３４がオフショア小売商ウェブサイト３１にログインし及び購入商品を閲覧することが可能になる前に、オフショア小売商ウェブサイト３１は最初に仲介プラットフォーム３２と取引関係（例えば契約書に署名する）を確立する必要がある。この２者は、利益分配率及び口座決済方法などの契約条項を決定する。オフショア小売商ウェブサイト３１は外国為替処理のための銀行（例えば金融プラットフォーム３８）を指定でき、及び仲介プラットフォーム３２との決算操作を行う頻度を決定できる。仲介プラットフォーム３２は外国為替処理などのために自分自身の金融プラットフォーム３８の選択を行い得る。
【００３５】
ブロックＳ３２０において、オフショア小売商ウェブサイト３１は注文要求を仲介プラットフォーム３２に送信する。この注文要求は、買い手（ユーザー３４）情報、商品情報、外貨での購入金額、及び支払い通貨の種類を含む。これを行うために、オフショア小売商ウェブサイト３１はユーザー３４から商品及び購入量を含む購入注文を受け取ると、注文要求を作成する。
【００３６】
Ｓ３３０において、仲介プラットフォーム３２は注文要求を受け取り、及び金融プラットフォーム３８から得た外国為替相場に基づいて現地通貨での購入金額を計算する。仲介プラットフォーム３２は、この取引のための現地通貨額を再考及び確認のためにユーザー３４に表示し得る。
【００３７】
本例示的実施形態では、仲介プラットフォーム３２は金融プラットフォーム３８から定期的に外国為替相場を受け取ることができる。実際面では、仲介プラットフォーム３２はさまざまな外国為替相場を得るために金融プラットフォーム３８のような複数の金融プラットフォームと通信し得る。得ることのできる外国為替相場の例としては、ＲＭＢ及び日本円の間の外国為替相場、ＲＭＢ及び米ドルの間の外国為替相場、及びＲＭＢ及びユーロの間の外国為替相場である。注文要求を受け取ると、仲介プラットフォーム３２は、その要求から支払い通貨の種類及びそれに付随する金額を取得する。
【００３８】
１実施形態では、仲介プラットフォーム３２は金融プラットフォーム３８において、オフショア小売商ウェブサイト３１で指定された通貨に関連する外国為替相場を見出し得る。他の実施形態では、仲介プラットフォーム３２はさまざまな金融プラットフォーム３８から報告される為替相場を比較し得る。
【００３９】
ユーザー３４の身元確認及び他の種類の確認はブロックＳ３３０で行われ得る。
【００４０】
Ｓ３４０において、ユーザー３４の支払い確認を受け取った後、仲介プラットフォーム３２は金融プラットフォーム３８を使いユーザー３４の口座の現地通貨額を等価な外貨額に交換する。
【００４１】
このブロック（Ｓ３４０）では、以下のプロセスがおきることができる。
【００４２】
Ａ１：仲介プラットフォーム３２がユーザー３４に外貨での購入金額などの取引情報を送信するとき、ユーザー３４は更に購入を確定することを要求されることができる。イエスの場合、このプロセスは以下のステップＡ２に進む。さもなければ、このプロセスは終了し、及び取引結果がオフショア小売商ウェブサイト３１に返される。
【００４３】
Ａ２：ユーザー３４の支払い確認を受け取ると、仲介プラットフォーム３２はユーザー３４が仲介プラットフォーム３２に口座を持つか否かを確認する。ユーザー３４が口座を仲介プラットフォーム３２に持つ場合、仲介プラットフォーム３２は口座が現在の取引のために十分な資金を有するかを決定する。イエスの場合、このプロセスは次のＡ３に進む。さもなければ、仲介プラットフォーム３２は、現在の取引の支払いのために、口座を開設するか、既存の口座に追加入金するか、代替的な支払い方法を提供するかをユーザー３４に、指示する。
【００４４】
Ａ３：仲介プラットフォーム３２は金融プラットフォーム３８を介して、適正な額のユーザー３４の現地通貨を要求される外貨額に交換する。現地通貨はユーザー３４が持つ仲介プラットフォーム上の３２口座から引き落とされるか、又はユーザー３４が選ぶ別の支払い方法により提供される。１実施形態では、仲介プラットフォーム３２は外国為替購入が必要な注文が処理されるごとに外国為替購入を行う。他の実施形態では、仲介プラットフォーム３２が注文ごとに外国為替購入を行うことは煩雑であるため、ユーザー３４の口座の現地通貨額を最初に確保して別にして置く。仲介プラットフォーム３２は、次いで所定の期間に累積された組み合わされた現地通貨額を各外国通貨に一括プロセスで交換する。このプロセスは、累積された注文に対応するそれぞれの交換額について、同一又は異なる金融プラットフォーム３８を用い得る。例えば、中国銀行で外国為替を必要とする５０の取引（注文）及び建設銀行で外国為替を必要とする１００の取引が特定の同日内にあるとする。仲介プラットフォーム３２は、次に銀行が閉店するまでにこれらの銀行で一括処理により外国為替購入を達成する。
【００４５】
仲介プラットフォーム３２の１例は、仲介支払いシステム、「ＡｌｉＰａｙ」である。「ＡｌｉＰａｙ」は、中国銀行などの銀行での外国為替購入の要求を開始する。銀行は、次いで実際の外国為替購入を実行し、及びオフショア商品を購入するそれぞれのユーザー個人の名前でこれらの購入を処理する。この外国為替プロセスは、規制により各ユーザーに課せられた各ユーザーの外国為替限界を考慮に入れる。達成すると、次いで、銀行は「ＡｌｉＰａｙ」に外国為替購入を通知できる。
【００４６】
１実施形態では、仲介プラットフォーム３２はユーザー３４の最高外国為替購入価値を制限できる。例えば単一の取引でのユーザー３４の外国為替購入金額が、規定値を超える場合、又はその年の累積されたユーザー３４の累積外国為替購入金額が規定値を超える場合、仲介プラットフォーム３２はユーザー３４にその外国為替購入が規定値を超えてしまうことを通知することができる。仲介プラットフォーム３２は、次いで、取引を終了し、及びオフショア小売商ウェブサイト３１に取引終了のメッセージを返す。
【００４７】
Ｓ３５０では、仲介プラットフォーム３２は支払額を要求される外貨でオフショア小売商ウェブサイト３１の口座に送金し、及び送金すると支払い成功を示すメッセージをオフショア小売商ウェブサイト３１に送信し、次いで小売商は商品を出荷する。資金を送金する目的で、仲介プラットフォーム３２オフショア小売商ウェブサイトの金融口座にアクセスできる。１実施形態ではこのオフショア・ビジネスの金融口座は仲介プラットフォーム３２に配置される。かかる口座は、オフショア小売商ウェブサイトの持ち主の小売商が仲介プラットフォーム３２に登録することで開設し得る。支払いが成功した場合、オフショア小売商ウェブサイト３１は商品を出荷できる。オフショア小売商ウェブサイト３１は直接商品をユーザー３４によりウェブサイトに提出された配送先住所に出荷できる。代替的に、オフショア小売商ウェブサイト３１は、ユーザー３４の氏名及びユーザー３４の連絡方法などのユーザー情報を取得するために、仲介プラットフォーム３２のユーザー処理装置にログインすることができ、及びユーザー３４により確認後に出荷できる。
【００４８】
Ｓ３６０では、仲介プラットフォーム３２は定期的にオフショア小売商ウェブサイト３１との決算及び利益分配操作を行う。決算操作は、普通当座預金（ｒｅｇｕｌａｒ  ａｃｃｏｕｎｔ  ｃｈｅｃｋｉｎｇ）、口座決済（ａｃｃｏｕｎｔ  ｓｅｔｔｌｅｍｅｎｔ）、口座差し引き（ａｃｃｏｕｎｔ  ｂａｌａｎｃｉｎｇ）及び口座調整（ａｃｃｏｕｎｔ  ｒｅｃｏｎｃｉｌｉａｔｉｏｎ）を含み得る。もし払い戻し処理をユーザー３４又はオフショア小売商ウェブサイト３１から受けると、仲介プラットフォーム３２はその要求が所定の要求を満たすか否かを決定する。もし満たす場合、仲介プラットフォーム３２は金融プラットフォーム３８を介して外貨を現地通貨に交換し、返金をユーザー３４の口座に預け入れ、及び払い戻し処理結果をユーザー３４及びオフショア小売商ウェブサイト３１に送信する。
【００４９】
１実施形態では、仲介プラットフォーム３２は各オフショア取引の情報を将来の参照のために保存する。仲介プラットフォーム３２はユーザー及びオフショア小売商ウェブサイト３１から照会を受けることができ、及び保存された情報に基づいて照会者にフィードバックを返信する。ユーザーの照会に含まれる取引詳細は支払い通貨の種類、オフショア商品の価格及び商品名を含む。
【００５０】
仲介プラットフォーム３２は直接オフショア小売商ウェブサイト３１に接続できる。代替的に、仲介プラットフォーム３２は、オフショア仲介プラットフォームを介してオフショア小売商ウェブサイト３０１に接続できる。仲介プラットフォーム３２は、オフショア小売商ウェブサイト及びオフショア仲介プラットフォームの両方に接続できる。以下では、オフショア仲介プラットフォームへの接続を介してオフショア取引を完結させるプロセスを説明するための例示的実施形態が記載される。
【００５１】
図４はオフショア取引のための第２の例示的環境の模式的な構造的略図を示す。この環境４０は、１人以上のユーザー、仲介プラットフォーム４２、１つ以上のオフショア小売商ウェブサイト４１、同一又は全てのオフショア小売商ウェブサイト４１に接続するオフショア仲介プラットフォーム４２０、及び１つ以上の金融プラットフォーム４８を含む。各ユーザー４４、オフショア小売商ウェブサイト４１、オフショア仲介プラットフォーム４２０、及び金融プラットフォーム４８はサーバー・センター４５及びさまざまなデータを保存するデータベース４６に接続する。
【００５２】
前記サーバー・センター４５は、インターネット・インターフェース４６１、金融プラットフォーム双方向インターフェース４６２、ユーザー処理装置４６３、ウェブサイト処理装置４６４、取引処理装置４６５、身元確認装置４６６、外国為替処理装置４６７、外国為替購入装置４６８、及び口座処理装置４６９を含む。これらの装置は図２の装置に対応して同様の機能を実行するように適合されている。
【００５３】
前記オフショア仲介プラットフォーム４２０は仲介プラットフォーム４２と同様のものであり、及び仲介プラットフォーム４２との双方向のやり取り及び口座決済などの操作を完結させるために用いられる。前記オフショア仲介プラットフォーム４２０オフショア小売商ウェブサイト４１との双方向のやり取り及び口座決済などの操作を提供するために用いられる。
【００５４】
図５は、本開示に従うオンライン取引を処理するための第２の例示的方法のフローチャートを示す。この方法は、仲介プラットフォーム及びオフショア仲介プラットフォームを介して、ユーザーがオフショア小売商ウェブサイトの商品を現地通貨により購入することを可能にするこの方法は以下のように説明される：
Ｓ５１０では、ユーザー５４はオフショア小売商ウェブサイト５１にログインし、及びオフショア小売商ウェブサイト５１への購入注文を送信する。オフショア仲介プラットフォーム５２０はオフショア小売商ウェブサイト５１に接続され、及び仲介プラットフォーム５２との合意された契約を有する。
【００５５】
Ｓ５２０では、オフショア小売商ウェブサイト５１はオフショア仲介プラットフォーム５２０を介して注文要求を仲介プラットフォーム５２に送信する。この注文要求は、ユーザー（買い手）情報、商品情報、外貨での購入金額、及び支払い通貨の種類を含む。
【００５６】
Ｓ５３０では、仲介プラットフォーム５２はこの注文要求を受け取り、及び金融プラットフォーム５８から得た外国為替相場に基づき現地通貨での購入金額を計算する。仲介プラットフォーム５２は、次いで、再考及び確定のためにこの取引のための現地通貨額をユーザー５４に表示できる。
【００５７】
Ｓ５４０では、ユーザー５４の支払い確認を受け取った後、仲介プラットフォーム５２は、金融プラットフォーム５８を介してユーザー５４の口座に保有される現地通貨額を要求される外貨に交換する。
【００５８】
Ｓ５５０では、仲介プラットフォーム５２は要求される外貨での支払額をオフショア小売商ウェブサイト５１の口座に送金し、及び送金すると、オフショア仲介プラットフォーム５２０を介して支払い成功を示す取引メッセージをオフショア小売商ウェブサイト５１に送信し、小売商は次いで商品を出荷する。
【００５９】
Ｓ５６０では、仲介プラットフォーム５２は定期的に決算及び利益分配操作をオフショア仲介プラットフォーム５２０と行う。代替的に、仲介プラットフォーム５２は定期的に直接オフショア小売商ウェブサイトと決算及び利益分配操作を行う。
【００６０】
上記のオンライン取引第２の例示的実施形態は、図３の参照により記載されたオンライン取引の第１の実施形態と同様である。主要な差異は、第２の例示的なオンライン取引の仲介プラットフォーム５２は、オフショア仲介プラットフォーム５２０を介してオフショア小売商ウェブサイト５１と間接的に双方向のやり取りを行うことである。各オフショア小売商ウェブサイト５１と直接契約を交わす代わりに、仲介プラットフォーム５２はオフショア仲介プラットフォーム５２０との契約を交わす。更に、仲介プラットフォーム５２は決算及び利益分配操作をオフショア仲介プラットフォーム５２０との間で行い、同様に決算及び利益分配操作をオフショア小売商ウェブサイト５１などの契約した各オフショア小売商ウェブサイトとの間で行う。オフショア仲介プラットフォームがオフショア小売商ウェブサイトとどのように接続し、及び決算及び利益分配などの操作を行うかは、この例示的オンライン取引の範囲外のことになる。代替的に、仲介プラットフォーム５２は、オフショア仲介プラットフォーム５２０が自身の決算操作をオフショア小売商ウェブサイト５１との間でどのように行うかに関わり無く、決算操作をそれぞれの個別のオフショア小売商ウェブサイト５１との間で直接に行い得る。
【００６１】
仲介プラットフォーム５２がオフショア・オンライン取引それ自身に影響を及ぼすことなく、オフショア小売商ウェブサイト５１及びオフショア仲介プラットフォーム５２０と個別に契約を交わし得ることを理解されたい。開示される方法及びシステムは、ユーザー（例えば買い手）が外国為替購入及び外貨送金のために、銀行などの外貨交換サービス又は機関を訪れることなく、オフショア・オンライン取引を達成することを可能にする。ユーザーは更にオフショア小売商ウェブサイトの条件について懸念する必要も無い。開示される方法及びシステムは、ユーザーが現地通貨を使用して便利にかつ安全にオフショア商品を購入することを可能にする。小売商の観点からは、本開示の方法取引の成約率の改善を支援し得る。
【００６２】
本明細書において議論される潜在的な便益及び有利性は、付随する特許請求範囲の制限又は制約と解釈されるべきでないことを理解されたい。
【００６３】
本主題がその構造的特性及び／又は方法論的行為に特異的な言語により記載されているが、添付される特許請求範囲において定義される本主題は、記載される特異的な特性又は行為に制限される必要の無いことを理解されたい。むしろ、特異的な特性及び行為は請求項を実行するための例示的形態として開示されている。
【図１】
2012501013.tif 000003
【図２】
2012501013.tif 000004
【図３】
2012501013.tif 000005
【図４】
2012501013.tif 000006
【図５】
2012501013.tif 000007
【国際調査報告】
2012501013.tif 000008